(57)【要約】【課題】情報記録再生装置間で動画音声ファイルをデータコピー又はデータ移動させる場合にジャンルテーブルを統一することにより情報管理を容易に行うことが可能な情報管理方法を提供する。【解決手段】送信元の記録再生装置と送信先の記録再生装置を接続して両方の装置間で動画音声ファイルをデータコピー又はデータ移動させる場合、両方の装置のジャンルテーブルのジャンル情報とジャンルＩＤを統一する。両方の装置のジャンルテーブルを統一することにより、送信元と送信先でジャンルテーブルが一致していない場合にも、送信先、送信元でジャンルテーブルを使用でき、ユーザの利便性を向上できる。【選択図】図１３
2007158508.tif 000002
【特許請求の範囲】
【請求項１】
各々記憶領域に動画音声ファイル及びその動画音声ファイルを管理するための管理情報を有し、且つ、前記管理情報に付随するジャンル情報と前記ジャンル情報に対応するジャンルＩＤを含むジャンルテーブルを有する情報記録再生装置同士を接続し、両方の情報記録再生装置間で動画音声ファイルをコピー又は移動させる場合には、両方のジャンルテーブルを比較して、両方のジャンルテーブルのジャンル情報とジャンルＩＤを統一することを特徴とする情報管理方法。
【請求項２】
記憶領域に動画音声ファイル及びその動画音声ファイルを管理するための管理情報を有し、且つ、前記管理情報に付随するジャンル情報と前記ジャンル情報に対応するジャンルＩＤを含むジャンルテーブル有する第１の情報記録再生装置と、動画音声ファイル及びその動画音声ファイルを管理するための管理情報が記録され、且つ、前記管理情報に付随するジャンル情報と前記ジャンル情報に対応するジャンルＩＤを有するジャンルテーブルが記録されたリムーバブル記録媒体が装着された第２の情報記録再生装置とを接続し、前記第１の情報記録再生装置の記録領域と前記第２の情報記録再生装置に装着されたリムーバブル記録媒体との間で動画音声ファイルをコピー又は移動させる場合には、両方のジャンルテーブルを比較して、両方のジャンルテーブルのジャンル情報とジャンルＩＤを統一することを特徴とする情報管理方法。
【請求項３】
動画音声ファイル及びその動画音声ファイルを管理するための管理情報を有し、且つ、前記管理情報に付随するジャンル情報と前記ジャンル情報に対応するジャンルＩＤを含むジャンルテーブルが記録されたリムーバブル記録媒体を、動画音声ファイル及びその動画音声ファイルを管理するための管理情報を有し、且つ、前記管理情報に付随するジャンル情報と前記ジャンル情報に対応するジャンルＩＤを含むジャンルテーブルを有する情報記録再生装置に装着し、前記リムーバブル記録媒体の動画音声ファイルを前記情報記録再生装置の記憶領域にコピー又は移動させる場合には、両方のジャンルテーブルを比較して、両方のジャンルテーブルのジャンル情報とジャンルＩＤを統一することを特徴とする情報管理方法。
【請求項４】
前記両方のジャンルテーブルにおいて同一のジャンル情報で異なるジャンルＩＤを持つ場合には、いずれか一方のジャンルテーブルの該当するジャンルＩＤを、他方のジャンルテーブルのジャンルＩＤに変更することを特徴とする請求項１〜３のいずれか１項に記載の情報管理方法。
【請求項５】
前記両方のジャンルテーブルにおいて異なるジャンル情報で同一のジャンルＩＤを持つ場合には、いずれか一方の該当するジャンルＩＤを、他方のシャンルテーブルのジャンルＩＤに重ならない別のジャンルＩＤに変更することを特徴とする請求項１〜３のいずれか１項に記載の情報管理方法。
【請求項６】
前記両方の情報記録再生装置において前記ジャンルテーブルのジャンル情報とジャンルＩＤの統一に伴い、前記両方の情報記録再生装置の管理情報を変更することを特徴とする請求項１〜３のいずれか１項に記載の情報管理方法。
【発明の詳細な説明】
【技術分野】
【０００１】
本発明は、動画音声データを光ディスクやHDD等の情報記録媒体に記録又は再生する情報記録再生装置の情報管理方法、特に、複数の装置間で動画音声ファイルをデータコピーや移動させる場合の情報管理方法に関するものである。
【背景技術】
【０００２】
近年、放送波で受け取った、若しくはカムコーダ等でユーザが作成した動画音声データは光ディスクやＨＤＤの記録媒体を持つ装置にデジタルデータとして記録できるようになってきている。また、放送局側の大量デジタル映像コンテンツの供給や、家庭用据え置き型記録再生装置の高度録画機能化等により記録媒体には大量の動画音声データが蓄積できるようになってきている。
【０００３】
ところで、情報記録再生装置に蓄積されている大量の動画音声ファイルの中からユーザ所望の動画音声ファイル検索を簡易化にする方法には、ファイルをフォルダ毎に整理する方法がある。そして、このフォルダをファイルが作成された日時等で自動で作成し、そこに入れるというものである。
【０００４】
しかしファイルを他の記録再生装置にコピーした後もファイル検索容易性を保つためには、データコピー若しくは移動先において同じフォルダ構成を作成しなければならない。自動でフォルダを作成する機能も自動作成フォルダ名は記録再生装置メーカによって異なる可能性が高く、移動時に自動で検索容易性を実現するには複雑なフォルダ構成が要求され、ファイル数が増える中でフォルダによる管理はユーザの負担が大きい。
【０００５】
データ検索容易性を実現するために、動画音声ファイルに関連する管理情報にジャンル情報を付け加える方法がある。ジャンル情報とは、例えば、ある放送番組における放映チャンネル、放映日時、撮影場所、出演者、番組等の関連した情報すべてである。一つのファイルに関連するジャンル情報は幾つあってもよい。
【０００６】
検索時にはユーザ所望のファイルに関連した一つ若しくは複数のジャンル情報をユーザが入力若しくは選択する。ジャンル情報に関連したファイルを記録再生装置が画面表示上でサムネール等の形式により表示する。ユーザは検索結果を見て所望のファイルを特定する。
【０００７】
ジャンル情報はファイル管理情報として登録され、それぞれのジャンル情報にＩＤを持たせたジャンルテーブルを記録再生装置に作成する。
【０００８】
今後、据え置き型記録再生装置がホームサーバとしての機能を果たす場合には、このような検索システムを持つことが予想される。また、カムコーダ等の携帯型記録再生機器で記録された動画音声ファイルもホームサーバ上にコピー若しくは移動させることが考えられる。
【０００９】
例えば、携帯型記録再生装置で記録した動画音声ファイルをホームサーバで蓄積することが予想される。その際のデータ移動の概略を図１８に示す。図１８に示すように、例えば、ホームサーバ等の据置型記録再生装置１２０と携帯型記録再生装置１２１との間におけるデータの移動はＵＳＢ等の有線経由、無線ＬＡＮ等の無線経由、或いはＤＶＤ等のメディア経由のいずれかを選択して移動させることができる。
【００１０】
移動元のジャンルテーブルの一例を図１９に示す。ジャンルＩＤとジャンル名が対応付けられている。また、移動元の動画音声データの管理情報の一部を図２０に示す。日付、ファイル名、サイズ（時間）、ジャンル等が登録されている。
【００１１】
ホームサーバに図２０のファイル（Ｆｉｌｅ）１４０を移動させた場合のホームサーバに記録される管理情報の一例を図２１に示す。移動元でファイル１４０に関連付けられたジャンル情報を移動先でも実現しようとしても、移動元と移動先のジャンルテーブルが違う場合には、転用が不可能である。
【００１２】
なお、従来のファイル管理に関する技術としては、例えば、特開２００３−１５２９４８号公報に記載された方法がある（特許文献１）。
【特許文献１】特開２００３−１５２９４８号公報
【発明の開示】
【発明が解決しようとする課題】
【００１３】
携帯型記録再生装置等からホームサーバ等の大容量記録再生装置に動画音声ファイルをコピーする際に、コピー元にジャンル情報がない場合には検索ができなくなる。よって、コピー後にジャンル情報を付け足さなければならない。また、コピー元でジャンル情報が関連付けられていても、コピー先のジャンルテーブルが一致していなければ、コピー先でジャンル情報を転用することができなかった。
【００１４】
本発明の目的は、情報記録再生装置間で動画音声ファイルをコピー又は移動させる場合にジャンルテーブルを統一することにより情報管理を容易に行うことが可能な情報管理方法を提供することにある。
【課題を解決するための手段】
【００１５】
本発明は、上記課題を解決するため、各々記憶領域に動画音声ファイル及びその動画音声ファイルを管理するための管理情報を有し、且つ、前記管理情報に付随するジャンル情報と前記ジャンル情報に対応するジャンルＩＤを含むジャンルテーブルを有する情報記録再生装置同士を接続し、両方の情報記録再生装置間で動画音声ファイルをコピー又は移動させる場合には、両方のジャンルテーブルを比較して、両方のジャンルテーブルのジャンル情報とジャンルＩＤを統一することを特徴とする。
【００１６】
また、本発明は、記憶領域に動画音声ファイル及びその動画音声ファイルを管理するための管理情報を有し、且つ、前記管理情報に付随するジャンル情報と前記ジャンル情報に対応するジャンルＩＤを含むジャンルテーブル有する第１の情報記録再生装置と、動画音声ファイル及びその動画音声ファイルを管理するための管理情報が記録され、且つ、前記管理情報に付随するジャンル情報と前記ジャンル情報に対応するジャンルＩＤを有するジャンルテーブルが記録されたリムーバブル記録媒体が装着された第２の情報記録再生装置とを接続し、前記第１の情報記録再生装置の記録領域と前記第２の情報記録再生装置に装着されたリムーバブル記録媒体との間で動画音声ファイルをコピー又は移動させる場合には、両方のジャンルテーブルを比較して、両方のジャンルテーブルのジャンル情報とジャンルＩＤを統一することを特徴とする。
【００１７】
更に、本発明は、動画音声ファイル及びその動画音声ファイルを管理するための管理情報を有し、且つ、前記管理情報に付随するジャンル情報と前記ジャンル情報に対応するジャンルＩＤを含むジャンルテーブルが記録されたリムーバブル記録媒体を、動画音声ファイル及びその動画音声ファイルを管理するための管理情報を有し、且つ、前記管理情報に付随するジャンル情報と前記ジャンル情報に対応するジャンルＩＤを含むジャンルテーブルを有する情報記録再生装置に装着し、前記リムーバブル記録媒体の動画音声ファイルを前記情報記録再生装置の記憶領域にコピー又は移動させる場合には、両方のジャンルテーブルを比較して、両方のジャンルテーブルのジャンル情報とジャンルＩＤを統一することを特徴とする。
【００１８】
本発明においては、送信元の記録再生装置と送信先の記録再生装置を接続して両方の装置間で動画音声ファイルをデータコピー又はデータ移動させる場合、両方の装置のジャンルテーブルのジャンル情報とジャンルＩＤを統一するものである。両方の装置のジャンルテーブルを統一することにより、送信元と送信先でジャンルテーブルが一致していない場合にも送信先、送信元でジャンルテーブルを使用できるようになる。
【発明の効果】
【００１９】
本発明によれば、動画音声ファイルの送信元装置と送信先装置でジャンルテーブルを統一することにより、送信元と送信先でジャンルテーブルが一致していない場合にも、送信先と送信元でジャンルテーブルを使用でき、ユーザが登録する等の手間が不要となる。そのため、多数のファイルが記録されている大容量記録媒体を有する情報記録再生装置でも、所望のファイルを簡単に検索でき、ユーザの利便性を向上させることができる。
【発明を実施するための最良の形態】
【００２０】
次に、発明を実施するための最良の形態について図面を参照して詳細に説明する。まず、ファイル管理とアクセス方法について説明する。
【００２１】
ファイル管理とアクセス方法
ＨＤＤやＤＶＤ等のディスクのデータ構造の一例を図１に示す。図１に示すようにディスク上のデータは内周から外周にかけてトラック（ｔｒａｃｋ）と呼ばれる単位で分割されている。トラックは更にセクタ（ｓｅｃｔｏｒ）と呼ばれる円弧に分割されている。図１では全てのトラックで同数セクタを持つ場合を示しているが、ディスクの内周の方が外周に比べて密度が高くなるため、外周のセクタ数を多くするものもある。
【００２２】
各セクタには番号が割り振られており、あるデータをファイルとして登録する際には、管理情報をデータとは別に登録する。図２は管理情報の一例を示す。管理情報には、ファイル名、ファイルの開始セクタ番号、データが占有するデータサイズ（例えばバイト）、データの種類等の情報が含まれている。また、ジャンル情報もこの管理情報に登録され、図２のジャンルの数値はジャンルＩＤを示す。
【００２３】
情報記録再生装置の構成
図３は本発明に係る情報記録再生装置の一例を示すブロック図である。ＨＤＤや光ディスク、半導体メモリ等の情報記録媒体４００、４０１、これら記録媒体を駆動して情報を記録又は再生するドライブ４０２、４０３、データの符号化と復号化を行うコーデック部４０４、装置全体を制御するマイクロコンピュータ４０９を有する。
【００２４】
また、装置において必要な情報を記憶するメモリ４１０、動画音声データ等を入力するＡ／Ｖ入力部４０６、動画音声データ等を出力するＡ／Ｖ出入力部４０７、デジタルＩ／Ｆ部４０５、動作表示部４１０、キー入力部４１１等を主たる構成要素とする。
【００２５】
データを記録媒体４００や４０１に記録する際には、放送局で配信されているデータをチューナで取り込む動画音声データや、カムコーダ録画する動画音声データがＡ／Ｖ入力部４０６から入力される。マイクロコンピュータ４０９はコーデック部４０４を制御し、記録媒体４００か４０１の一方に記録可能なデータに符号化して記録する。
【００２６】
データを再生する際には、マイクロコンピュータ４０９がドライブ４０２か４０３を制御し、記録媒体４００か４０１からユーザ所望のデータを読み出す。そして、コーデック部４０４によってＡ／Ｖ出力部４０７の先につながるＴＶ等のモニタで表示できるデータに復号化してから再生する。
【００２７】
また、他の情報記録再生装置からデジタルデータをコピーまたは移動させる際には、デジタルＩ／Ｆ４０５を介してデジタルデータが入力され、マイクロコンピュータ４０９はコーデック部４０４等を制御して記録媒体４００か４０１の一方に記録する。
【００２８】
記録再生装置での動画音声データの記録とジャンル関連付け
通常、ホームサーバ機器内部の記録媒体は大容量であり、放送波、他の記録再生装置或いは他の記録メディアから入力される動画音声データを保存可能である。例えば、図４（ａ）に示すように放送波で送られてくる動画音声データを保存できる。図４（ａ）は放送波が送信される様子とホームサーバ機器の外観を示す。図４（ｂ）はホームサーバ機器のファイル構成の一例を示す。
【００２９】
記録した動画音声データには前述の管理情報が登録されるが、その中のジャンル情報はユーザが登録するか、若しくは図５に示すように送信される放送波データ中のプログラムデータをもとに自動的に作成登録する。
【００３０】
図５はプログラムデータの一例を示す。また、図６はジャンルＩＤテーブルの追加前と追加後の状態を示す。
【００３１】
自動的にプログラムデータからジャンル情報を作成登録する方法を説明する。図７はその処理を示すフローチャートである。図５、図６、図８と併せて説明する。なお、ホームサーバ機器は図３に示す情報記録再生装置の基本構成を有し、以下に説明する処理制御は図３のマイクロコンピュータ４０９で行うことが可能である。
【００３２】
まず、放送波の動画音声データをホームサーバに記録する場合には、動画音声データの記録後（例えば、図４（ｂ）に示すファイル５０を記録する）、放送波データ中のプログラムデータの有無を調べる（Ｓ１０１）。この場合には、図５に示すようにブログラムデータがあるので、Ｓ１０２に進み、追加する項目が図６（ａ）の追加前ジャンルテーブルにあるか否かを確認する。
【００３３】
追加する項目がない場合には、ジャンルテーブルに新しい項目を追加する（Ｓ１０３）。図５の例では、プログラムデータ８０のPerformerのActor８１が、図６（ａ）に示すように追加前のジャンルテーブルに存在しないので、新しい項目として追加する（Ｓ１０３）。即ち、図６（ｂ）に示すようにジャンルテーブルにジャンルＩＤ７６をActor８１として項目に追加する。
【００３４】
次に、図８に示すようにファイル５０のジャンル項目としてジャンルＩＤ７６を登録する（Ｓ１０４）。図８は記録した動画音声ファイル管理情報の一部を示す。
【００３５】
また、Ｓ１０２で追加するジャンル項目がジャンルテーブルにある場合には、Ｓ１０４に進み、動画音声データの管理情報にＩＤを登録する。図５の例では、プログラムデータ内のProgram categoryがDramaとなっているので、図８に示すようにファイル５０のジャンルＩＤとしてDramaのＩＤ７１を登録する（Ｓ１０４）。
【００３６】
その後、プログラムデータが終了か否かを判定し（Ｓ１０５）、プログラムデータが終了すれば処理を終了する。
【００３７】
図５の例では、プログラムデータにActor８２以降が残っているので、Ｓ１０２から同様の処理を行うことで順次ジャンルテーブルに項目を追加し、それに伴い管理情報にＩＤを追加していく。
【００３８】
一方、Ｓ１０１においてプログラムデータがない場合には、ユーザが手動でジャンル情報を登録することになる（Ｓ１０６）。
【００３９】
このように放送波の動画音声データにプログラムデータがない場合にはユーザが手動でジャンル登録を行う。図９はその手順の一例を示すフローチャート、図１０はジャンル追加動作を説明する図である。
【００４０】
まず、図１０（ａ）に示すようにジャンルを登録したいファイルを選択する（Ｓ２０１）。これは、上述のように放送波でないデータにジャンルを関連付けたい場合等である。例えば、ファイル５１を選択する。
【００４１】
次に、既存ジャンルテーブルからジャンルを選択するか否かを判定する（Ｓ２０２）（図１０（ｂ）参照）。既存テーブルからジャンルを選択しない場合には、図１０（ｃ）に示すように新ジャンルを登録する（Ｓ２０３）。
【００４２】
新規でジャンルを入力すると、図１１に示すようにジャンルテーブルに新規ジャンルが登録される。図１１は新規ジャンル追加後のジャンルテーブルを示す。例えば、ジャンル名としてStudium９０を登録している。ジャンルＩＤは７７である。
【００４３】
次いで、テーブルからジャンルＩＤを選択し（Ｓ２０４）、管理情報にジャンルを登録する（Ｓ２０５）。この場合には、図１２に示すようにファイル５１の動画音声ファイルの管理情報の一部であるジャンル情報に新たにジャンルＩＤ７７のStudium９０を追加している。図１２は管理情報の一例を示す。
【００４４】
本発明の説明
本発明は背景技術で説明したようなデータ移動によるジャンル関連付けの消失を防ぐため、情報記録再生装置間で移動処理が発生する前にジャンルテーブルを統一する処理を施す。図１３はその処理を示すフローチャート、図１４はジャンルテーブルを統一する処理を説明するための図である。
【００４５】
（１）記録再生装置同士の通信によるデータコピー、移動の場合
図１５に示すように大容量記録媒体を備えた情報記録再生装置１２０と携帯型情報記録再生装置１２１とを有線若しくは無線により接続して動画音声ファイルをデータコピー又は移動させる場合を例として説明する。
【００４６】
情報記録再生装置１２０は図１４（ａ）に示す送信先ジャンルテーブル１０を、携帯型情報記録再生装置１２１は図１４（ａ）に示す送信元ジャンルテーブル１１をそれぞれの記憶領域に有するものとする。また、情報記録再生装置１２０を送信先、情報記録再生装置１２１を送信元とし、送信元装置から送信先装置に動画音声ファイル１４１をデータコピー又はデータを移動させるものとする。
【００４７】
更に、情報記録再生装置１２０、１２１は図３に示す基本構成を有し、各々の動画音声ファイルの管理情報やそれに付随するジャンルテーブルは図３のメモリ４０８に格納されている。各々の動画音声ファイルは記録媒体４００又は４０１に格納されている。 
【００４８】
また、以下の説明の処理制御は図４のマイクロコンピュータ４０９が行うものとする。なお、データ移動とは、送信元から送信先にデータを送信してデータコピーし、送信元データを消去することを言う。
【００４９】
まず、情報記録再生装置１２０と１２１を有線又は無線等で接続した後、情報記録再生装置１２０から情報記録再生装置１２１に動画音声ファイルのデータコピー又はデータ移動要求が発生すると、送信元装置にジャンルテーブルがあるか否かを判定する（Ｓ３０１）。この場合には、送信元装置１２１にジャンルテーブルがあるので、次の処理に進み、より多くのジャンルＩＤを持つ装置へもう一方の装置からジャンルテーブルを送信する（この処理は図１３には不図示）。
【００５０】
この処理は、例えば、送信元から送信先へＩＤ数を通知してＩＤ数を比較することで、どちらの装置からジャンルテーブルを送信するかを判断する。この場合は、図１４（ａ）に示すように送信先装置１２０の方が多くのジャンルＩＤを持つため、送信元装置１２１から送信先装置１２０にジャンルテーブルを送信する。このジャンルテーブルは送信先装置１２０のメモリ４０８に一時格納される。
【００５１】
なお、より多くのジャンルＩＤを持つ装置へもう一方の装置からジャンルテーブルを送信するとしたが、本発明はこの限りではない。例えば、送信先装置に送信元装置からジャンルテーブルを送信するように決めても良い。
【００５２】
次いで、送信先装置１２０において送信先ジャンルテーブルと送信元ジャンルテーブルのジャンルネーム（ジャンル情報）を比較し（Ｓ３０２）、ジャンルネームの一致する項目があるか否かを判定する（Ｓ３０３）。
【００５３】
一致するジャンルネームがある場合には、該当するジャンルを送信された送信元テーブルから削除する（Ｓ３０４）。図１４（ａ）の例では、送信元と送信先のジャンルテーブルにおいて送信元ジャンルＩＤ１３３と送信先ジャンルＩＤ７４は共に”Soccer”というジャンルネームで一致している。
【００５４】
そのため、送信元から送信された送信元ジャンルテーブルから該当するジャンルＩＤ１３３を削除する。図１４（ｃ）は後述するように修正後のジャンルテーブルを示すものであるが、該当するジャンルＩＤ１３３は削除されている。
【００５５】
次いで、図１４（ｂ）に示すように送信元から送信された動画音声ファイル１４１のファイル管理情報内のジャンルＩＤ１３３をジャンルＩＤ７４に変更する（Ｓ３０５）。図１４（ｂ）は送信先装置の管理情報の一部を示す。この管理情報は送信元から送信されたジャンルテーブルを受信した時に更新され、その時点で送信元から送信された動画音声ファイルの管理情報を含んでいる。
【００５６】
この例では、例えば、送信元の動画音声ファイル１４０、１４１を送信先にデータコピー又は移動させるものとし、送信元のジャンルテーブルを送信する時に該当するファイルに関連する管理情報が送信される。送信先装置では自己の管理情報に送信された管理情報を追加して、図１４（ｂ）に示す管理情報とする。図１４（ｂ）のファイル１４０、１４１の管理情報が新たに追加した部分である。
【００５７】
次に、送信元ジャンルＩＤが最後であるか、即ち、送信元と送信先のジャンルテーブルでジャンルネームが一致するジャンルＩＤが最後であるか否かを判定する（Ｓ３０６）。最後であれば、両方のジャンルテーブルで異なるジャンルネームで同じジャンルＩＤが存在か否かを判定する（Ｓ３０７）。
【００５８】
両方のジャンルテーブルにおいて異なるジャンルネームで同じジャンルＩＤが存在する場合には、送信元ジャンルテーブル１１のジャンルＩＤを変更する必要がある。図１４（ａ）の例では、送信元ジャンルテーブル１１のジャンルＩＤ１３０は送信先と送信元で共に存在するので、送信元ジャンルテーブル１１のジャンルＩＤ１３０を、例えば、ジャンルＩＤ７７に変更する（Ｓ３０８）。
【００５９】
また、それに伴い、図１４（ｂ）に示すように送信元から送信された動画音声ファイル１４０の管理情報のジャンルＩＤ１３０をＩＤ７７に変更する（Ｓ３０８）。
【００６０】
その後、送信元ジャンルテーブル１１に送信先ジャンルテーブル１０にあるジャンル項目を追加する（Ｓ３０８）。その際、例えば、ジャンルネームはそのままコピーしてジャンルＩＤを送信元の連番等にするか、送信先の番号をそのまま転用するかを選択できるようにするのが望ましい。但し、ジャンルＩＤの重複がないようにする。また、送信元装置１２１の情報（装置名等）を送信先ジャンルテーブル１０に登録し、送信するデータのジャンル情報に登録することも可能である。
【００６１】
図１４（ａ）の例では、送信元ジャンルテーブル１１のジャンルＩＤ７７（変更されたＩＤ）、ジャンルＩＤ１３１、ＩＤ１３２等が該当する。移動先ジャンルテーブルの修正後の状態を図１４（ｃ）に示す。この場合には、ジャンルＩＤ１３１、１３２をジャンルＩＤ５８、ＩＤ５９に修正している。
【００６２】
また、上述のように運動会のジャンルＩＤはジャンルＩＤ７７、”Soccer”のジャンルＩＤはＩＤ７４となっている。このように送信元ジャンルテーブル１１に送信先ジャンルテーブル１０のジャンル項目の追加処理を順次行う。
【００６３】
Ｓ３０９にて全てのジャンル項目の追加処理を終了すると、図１４（ｃ）に示す修正後の項目を追加したジャンルテーブルを今度は送信元装置１２１に送り返す（Ｓ３１０）。送信元装置１２１はもとのジャンルテーブルを破棄し、以後は送られてきたジャンルテーブルを使用する。また、動画音声ファイルのデータコピー又はデータ移動を行い（Ｓ３１０）、全ての処理を終了する。送信元装置では必要に応じて送信先から送られたジャンルテーブルに基づいて自己の管理情報の修正を行う。管理情報の修正方法は先の説明と同様である。
【００６４】
ここで、本実施形態においては送信元装置と送信先装置の記憶領域間で動画音声ファイルのデータコピー又はデータ移動させる場合を説明したものである。図３の例では、記憶領域とは、記録媒体４００、４０１（記録媒体は、例えば、ＨＤＤ、光ディスク、半導体メモリ等を含む）やメモリ４０８等を含むものである。
【００６５】
本発明は、これに限ることなく、他の形態の場合にも使用可能である。例えば、一方の装置がリムーバブル記録媒体に記録又は再生する装置とし、他方の装置を据置型のＨＤＤ等に記録又は再生する装置とし、この２つの装置のリムーバブル記録媒体と記憶領域間で動画音声ファイルをデータコピー又はデータ移動させる場合も全く同様の処理を行っても良い。
【００６６】
このように一方の装置のリムーバブル記録媒体と他方の装置の記憶領域間でデータコピー等を行う場合にも、同様にジャンルテーブルの統一処理を行うことで、送信元と送信先でジャンルテーブルが一致していない場合にも、送信先や送信元でジャンルテーブルを使用でき、ユーザが登録する等の手間が不要となる。
【００６７】
（２）メディアを介したデータのデータコピー、移動の場合
図１６に示すように携帯型情報記録再生装置１７１により光ディスク等の記録メディア１７２に動画音声データを記録し、その後、記録メディア１７２を今度は大容量記憶媒体を持つ情報記録再生置１７０に装着する。そして、情報記録再生装置１７０内の大容量記憶媒体に動画音声データをコピー又は移動させる場合について説明する。情報記録再生置１７０と１７１は同様に図３に示す基本構成を有し、以下に説明する処理制御は同様に図３のマイクロコンピュータ４０９が行うものとする。
【００６８】
まず、動画音声ファイルと共に情報記録再生装置１７１に存在するジャンルテーブル（管理情報も含む）を記録メディア１７２に記録して、データコピー（又は移動）の前にジャンルテーブルを統一する。この統一処理方法は上述の（１）で説明した処理方法と同じである。
【００６９】
また、情報記録再生装置１７０で記録メディア１７２にデータが記録追記可能であれば、統一したジャンルテーブルを書き込み、情報記録再生装置１７１に記録メディア１７２を装着したら、新しいジャンルテーブルを上書きする。
【００７０】
（３）ジャンルテーブル統一後のデータコピー、移動の場合
ジャンルテーブルを統一後、それぞれの情報記録再生装置でジャンルテーブルが追加された後、データコピーかデータ移動させる場合には、再度ジャンルテーブルの統一が必要である。図１７を参照して説明する。
【００７１】
図１７（ａ）に示すジャンルテーブル１８０は、例えば、図１６の情報記録再生装置１７０のジャンルテーブル、図１７（ｂ）に示すジャンルテーブル１８１は、例えば、情報記録再生装置１７１のジャンルテーブルとする。
【００７２】
一方の情報記録再生装置１７０で管理されているジャンルテーブル１８０にはＩＤ７１１”Basketball”が追加され、他方の情報記録再生装置１７１で管理されているジャンルテーブル１８１にはＩＤ７１１”Summer vacation” が追加されている。同じＩＤ番号に違うジャンルネームがあるのは混乱が生じる。
【００７３】
そこで、図１７（ｃ）に示すようにジャンルテーブル統一時にジャンルテーブル１８０側にＩＤ７１２”Summer vacation”を新たにジャンルテーブルに登録し、新しいジャンルテーブル１８２として記録する。ジャンルテーブル１８１側の情報記録再生装置１７１にもジャンルテーブル１８２を反映させる。
【図面の簡単な説明】
【００７４】
【図１】ディスク上のデータ構成を説明する図である。
【図２】管理情報の一例を示す図である。
【図３】本発明に係る情報記録再生装置の基本構成を示すブロック図である。
【図４】ホームサーバ機器を説明する図である。
【図５】プログラムデータの一例を示す図である。
【図６】ジャンルテーブルの追加前と追加後を示す図である。
【図７】自動でジャンルテーブルを作成する処理を示すフローチャートである。
【図８】ホームサーバに記録するファイルの管理情報の一部を示す図である。
【図９】手動でジャンルテーブルを登録する手順を示すフローチャートである。
【図１０】手動でジャンルを登録する場合の説明図である。
【図１１】図９の場合の新規ジャンル追加後のジャンルテーブルを示す図である。
【図１２】図９の場合のジャンル追加後の管理情報の一部を示す図である。
【図１３】本発明によるジャンルテーブルの統一方法を説明するためのフローチャートである。
【図１４】本発明によるジャンルテーブルの統一方法を説明するための図である。
【図１５】本発明による記録再生機器の接続の一例を説明する図である。
【図１６】本発明によるメディアを経由した動画音声データの移動を説明する図である。
【図１７】ジャンルテーブル変更時の再度のジャンル統一方法を説明する図である。
【図１８】受来技術による記録再生機器の接続を説明する図である。
【図１９】従来技術によるデータ移動元ジャンルテーブルの例を示す図である。
【図２０】従来技術によるデータ移動元管理情報の例を示す図である。
【図２１】従来技術によるデータ移動先管理情報の例を示す図である。
【符号の説明】
【００７５】
４００、４０１  記録媒体
４０２、４０３  ドライブ
４０４  コーディク部
４０５  デジタルＩ／Ｆ部
４０６  Ａ／Ｖ入力部
４０７  Ａ／Ｖ出力部
４０８  メモリ
４０９  マイクロコンピュータ
４１０  動作表示部
４１１  キー入力部
【図１】
2007158508.tif 000003
【図２】
2007158508.tif 000004
【図３】
2007158508.tif 000005
【図４】
2007158508.tif 000006
【図５】
2007158508.tif 000007
【図６】
2007158508.tif 000008
【図７】
2007158508.tif 000009
【図８】
2007158508.tif 000010
【図９】
2007158508.tif 000011
【図１０】
2007158508.tif 000012
【図１１】
2007158508.tif 000013
【図１２】
2007158508.tif 000014
【図１３】
2007158508.tif 000015
【図１４】
2007158508.tif 000016
【図１５】
2007158508.tif 000017
【図１６】
2007158508.tif 000018
【図１７】
2007158508.tif 000019
【図１８】
2007158508.tif 000020
【図１９】
2007158508.tif 000021
【図２０】
2007158508.tif 000022
【図２１】
2007158508.tif 000023